(57)【要約】【課題】研修環境を効率的に構築する。【解決手段】研修環境構築システムは、研修用の複数のアカウントによりログイン可能な複数の受講者端末と、複数のアカウントのそれぞれにおけるユーザ設定情報及びユーザデータを記憶するユーザ情報記憶部と、受講者端末に受講者がログインしている間、当該ログインに利用されたアカウントに対応するユーザ設定情報及びユーザデータを当該受講者端末に提供するユーザ情報提供部とを有する研修サーバと、を備える研修システムにおける研修環境を構築する研修環境構築システムであって、研修で受講者端末を利用する際に用いられるユーザ設定情報及びユーザデータを、複数のアカウントのうちの当該研修に割り当てられたアカウントと対応づけて記憶する研修データ記憶部と、研修データ記憶部を参照し、研修サーバのユーザ情報記憶部における、割り当てられたアカウントに対応するユーザ設定情報及びユーザデータを更新するユーザ情報更新部と、を備える。【選択図】図１
2016142953.tif 000002
【特許請求の範囲】
【請求項１】
研修用の複数のアカウントによりログイン可能な複数の受講者端末と、
前記複数のアカウントのそれぞれにおけるユーザ設定情報及びユーザデータを記憶するユーザ情報記憶部と、前記受講者端末に受講者がログインしている間、当該ログインに利用されたアカウントに対応する前記ユーザ設定情報及び前記ユーザデータを当該受講者端末に提供するユーザ情報提供部とを有する研修サーバと、
を備える研修システムにおける研修環境を構築する研修環境構築システムであって、
研修で前記受講者端末を利用する際に用いられる前記ユーザ設定情報及び前記ユーザデータを、前記複数のアカウントのうちの当該研修に割り当てられたアカウントと対応づけて記憶する研修データ記憶部と、
前記研修データ記憶部を参照し、前記研修サーバの前記ユーザ情報記憶部における、前記割り当てられたアカウントに対応する前記ユーザ設定情報及び前記ユーザデータを更新するユーザ情報更新部と、
を備える研修環境構築システム。
【請求項２】
請求項１に記載の研修環境構築システムであって、
複数の研修のそれぞれのスケジュールを研修識別子と対応づけて記憶するスケジュール記憶部をさらに備え、
前記研修データ記憶部は、前記研修識別子と対応付けて、前記ユーザ設定情報及び前記ユーザデータを記憶し、
前記ユーザ情報更新部は、前記スケジュール記憶部及び前記研修データ記憶部を参照し、前記複数の研修の前記スケジュールに基づいて、前記研修サーバの前記ユーザ情報記憶部における、前記割り当てられたアカウントに対応する前記ユーザ設定情報及び前記ユーザデータを更新する、
研修環境構築システム。
【請求項３】
請求項１または２に記載の研修環境構築システムであって、
過去に開催された研修で用いられた前記ユーザ設定情報及び前記ユーザデータを記憶する過去データ記憶部をさらに備え、
前記ユーザ情報更新部は、前記割り当てられたアカウントに対応する前記ユーザ設定情報及び前記ユーザデータを更新する前に、当該ユーザ設定情報及び当該ユーザデータを、当該割り当てられたアカウントと対応付けて前記過去データ記憶部に格納する、
研修環境構築システム。
【請求項４】
請求項３に記載の研修環境構築システムであって、
前記過去データ記憶部を参照し、過去に開催された研修に用いられた前記ユーザ設定情報及び前記ユーザデータを、前記研修サーバの前記ユーザ情報記憶部に復元するユーザ情報復元部をさらに備える、
研修環境構築システム。
【請求項５】
研修用の複数のアカウントによりログイン可能な複数の受講者端末と、
前記複数のアカウントのそれぞれにおけるユーザ設定情報及びユーザデータを記憶するユーザ情報記憶部と、前記受講者端末に受講者がログインしている間、当該ログインに利用されたアカウントに対応する前記ユーザ設定情報及び前記ユーザデータを当該受講者端末に提供するユーザ情報提供部とを有する研修サーバと、
を備える研修システムにおける研修環境を構築する方法であって、
研修データ記憶部及びユーザ情報更新部を備えるコンピュータにおいて、
前記研修データ記憶部が、研修で前記受講者端末を利用する際に用いられる前記ユーザ設定情報及び前記ユーザデータを、前記複数のアカウントのうちの当該研修に割り当てられたアカウントと対応づけて記憶し、
前記ユーザ情報更新部が、前記研修データ記憶部を参照し、前記研修サーバの前記ユーザ情報記憶部における、前記割り当てられたアカウントに対応する前記ユーザ設定情報及び前記ユーザデータを更新する、
研修環境構築方法。
【請求項６】
研修用の複数のアカウントによりログイン可能な複数の受講者端末と、
前記複数のアカウントのそれぞれにおけるユーザ設定情報及びユーザデータを記憶するユーザ情報記憶部と、前記受講者端末に受講者がログインしている間、当該ログインに利用されたアカウントに対応する前記ユーザ設定情報及び前記ユーザデータを当該受講者端末に提供するユーザ情報提供部とを有する研修サーバと、
を備える研修システムにおける研修環境を構築するためのプログラムであって、
コンピュータに、
研修で前記受講者端末を利用する際に用いられる前記ユーザ設定情報及び前記ユーザデータを、前記複数のアカウントのうちの当該研修に割り当てられたアカウントと対応づけて記憶する研修データ記憶部と、
前記研修データ記憶部を参照し、前記研修サーバの前記ユーザ情報記憶部における、前記割り当てられたアカウントに対応する前記ユーザ設定情報及び前記ユーザデータを更新するユーザ情報更新部と、
を実現させるためのプログラム。
【発明の詳細な説明】
【技術分野】
【０００１】
本発明は、研修環境構築システムに関する。
【背景技術】
【０００２】
企業内研修等においては、研修の受講者が、パーソナルコンピュータ等の端末を用いることが多い（例えば、特許文献１）。
【先行技術文献】
【特許文献】
【０００３】
【特許文献１】特開２０００−１０４６２号公報
【発明の概要】
【発明が解決しようとする課題】
【０００４】
研修用の端末を様々な研修で利用する場合、その研修の内容に応じて、研修環境を構築する必要がある。例えば、研修の内容に応じて、端末環境（プロファイル）を設定したり、研修教材等のユーザデータを用意したりする必要がある。このような研修環境の構築は、研修が開催される前に人手により行われているのが実情である。このような人手による研修環境の構築では、多数の端末や過密なスケジュールへの対応が難しい。
【０００５】
本発明はこのような事情に鑑みてなされたものであり、研修環境を効率的に構築することを目的とする。
【課題を解決するための手段】
【０００６】
本発明の一側面に係る研修環境構築システムは、研修用の複数のアカウントによりログイン可能な複数の受講者端末と、複数のアカウントのそれぞれにおけるユーザ設定情報及びユーザデータを記憶するユーザ情報記憶部と、受講者端末に受講者がログインしている間、当該ログインに利用されたアカウントに対応するユーザ設定情報及びユーザデータを当該受講者端末に提供するユーザ情報提供部とを有する研修サーバと、を備える研修システムにおける研修環境を構築する研修環境構築システムであって、研修で受講者端末を利用する際に用いられるユーザ設定情報及びユーザデータを、複数のアカウントのうちの当該研修に割り当てられたアカウントと対応づけて記憶する研修データ記憶部と、研修データ記憶部を参照し、研修サーバのユーザ情報記憶部における、割り当てられたアカウントに対応するユーザ設定情報及びユーザデータを更新するユーザ情報更新部と、を備える。
【０００７】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【０００８】
本発明によれば、研修環境を効率的に構築することが可能となる。
【図面の簡単な説明】
【０００９】
【図１】本発明の一実施形態である研修環境構築システム１０を含む研修システムの概要を示す図である。
【図２】スケジュール記憶部１００に記憶されるスケジュールデータの一例を示す図である。
【図３】研修データ記憶部１１０に記憶される研修データの一例を示す図である。
【図４】過去データ記憶部１３０にバックアップされたプロファイル２５０及びユーザデータ２６０の一例を示す図である。
【発明を実施するための形態】
【００１０】
以下、図面を参照して本発明の一実施形態について説明する。図１は、本発明の一実施形態である研修環境構築システム１０を含む研修システムの概要を示す図である。研修システムは、研修環境構築システム１０、研修サーバ２０、及び受講者端末３０を含む。研修システムは、例えば、企業内研修等において、受講者に対する研修サービスを提供するためのシステムである。
【００１１】
研修環境構築システム１０は、研修サーバ２０により受講者に対して提供される研修環境を構築するためのシステムである。研修環境構築システム１０は、例えば、研修サーバ２０とネットワークを介して通信可能に接続された情報処理装置を用いて実現される。なお、研修環境構築システム１０は、研修サーバ２０に含まれてもよい。
【００１２】
図１に示すように、研修環境構築システム１０は、スケジュール記憶部１００、研修データ記憶部１１０、ユーザ情報更新部１２０、過去データ記憶部１３０、及びユーザ情報復元部１４０を備える。これらの各部は、例えば、メモリやハードディスク等の記憶装置を用いたり、当該記憶装置に記憶されたプログラムをプロセッサが実行したりすることにより実現される。各部の詳細については後述する。
【００１３】
研修サーバ２０は、研修を利用する受講者の受講者端末３０に対して研修用のデータの提供等を行う情報処理装置である。図１に示すように、研修サーバ２０は、ユーザ情報記憶部２００及びユーザ情報提供部２１０を含む。ユーザ情報記憶部２００は、研修用の複数のアカウントのそれぞれにおけるプロファイル（ユーザ設定情報）及びユーザデータを記憶する。ユーザ情報提供部２１０は、受講者端末３０に受講者がログインしている間、当該ログインに利用されたアカウントに対応するプロファイル及びデータを当該受講者端末３０に提供する。
【００１４】
なお、プロファイルは、受講者端末３０の利用環境を示すデータであり、例えば、デスクトップ環境や、ウェブブラウザのブックマーク情報等が含まれる。また、ユーザデータは、受講者が研修受講時に利用するデータであり、例えば、研修のテキストや課題の内容が記載された文書データ等である。本研修システムでは、このようなプロファイル及びユーザデータが、受講者端末３０ではなく、研修サーバ２０においてアカウントごとに管理される。プロファイル及びユーザデータを研修サーバ２０において管理する仕組みは、例えば、ＥＵＧＲＩＤ社の「ＥＵＧＲＩＤ  Ｐｌａｔｆｏｒｍ」（登録商標）を用いて実現することができる。
【００１５】
受講者端末３０は、研修の受講者が利用するものであり、例えば、パーソナルコンピュータやタブレット端末等である。図１では、受講者端末３０は１つしか図示されていないが、実際には、複数の受講者端末３０が存在する。例えば、複数の受講者端末３０は、研修用の端末として確保されており、様々な研修の受講者により利用される。受講者端末３０には、Ｗｉｎｄｏｗｓ（登録商標）等のオペレーションシステム（ＯＳ）と、当該ＯＳ上で動作する各種アプリケーションがインストールされている。
【００１６】
なお、受講者端末３０は、研修サーバ２０に格納されたプロファイル２５０及びユーザデータ２６０を利用する。受講者が、研修用に割り当てられたアカウントを用いて受講者端末３０にログインすると、当該アカウントのプロファイル２５０及びユーザデータ２６０が、受講者端末３０に提供される。そして、プロファイル２５０により、受講者端末３０を利用する際の環境（デスクトップ環境等）が設定される。また、ユーザデータ２６０が、アプリケーション３１０により利用される。なお、受講者端末３０でプロファイル２５０及びユーザデータ２６０が更新された場合、これらは受講者端末３０に保存されるのではなく、研修サーバ２０のユーザ情報記憶部２００に保存される。
【００１７】
研修環境構築システム１０の各部の詳細について説明する。
【００１８】
スケジュール記憶部１００は、複数の研修のそれぞれのスケジュールを研修ＩＤ（研修識別子）と対応づけて記憶する。図２は、スケジュール記憶部１００に記憶されるスケジュールデータの一例を示す図である。図２に示すように、スケジュールデータは、例えば、研修ＩＤ、研修名称、スケジュール、開催場所、及びアカウント数を含む。
【００１９】
研修ＩＤは、研修を識別するためのものであり、研修ごとに割り振られている。なお、同じ研修が繰り返し開催される場合、研修ＩＤは同じであってもよいし、異なっていてもよい。研修名称には、研修の名称が設定される。スケジュールには、研修の開催日時が設定される。開催場所には、研修が実施される部屋等が設定される。なお、研修は、オンラインで提供されるもの（いわゆる、ｅラーニング）であってもよい。アカウント数には、各研修で利用されるアカウントの数が設定される。例えば、アカウント数は、研修の受講予定者数に応じて設定される。図２に示すスケジュールデータは、例えば、研修施設の予約を行うためのグループウェア等を用いて登録することができる。
【００２０】
研修データ記憶部１１０は、研修で受講者端末３０を利用する際に用いられるプロファイル及びユーザデータを、当該研修に割り当てられたアカウントと対応づけて記憶する。図３は、研修データ記憶部１１０に記憶される研修データの一例を示す図である。図３に示すように、研修データは、例えば、研修ＩＤ、プロファイル、ユーザデータ、及びアカウントを含む。
【００２１】
研修データのプロファイルには、例えば、受講者端末３０でプロファイル２５０として用いられるデータの格納場所（パス）を示す情報が設定される。なお、図３に示す例では、研修Ｔ００１に対して割り当てられたアカウントＡ００１〜Ａ０５０の全てに対して同一のプロファイルが用意されているが、アカウントごと、あるいは、いくつかのアカウントグループごとに、プロファイルが用意されていてもよい。
【００２２】
研修データのユーザデータには、例えば、受講者端末３０でユーザデータ２６０として用いられるデータの格納場所（パス）を示す情報が設定される。なお、図３に示す例では、研修Ｔ００１に対して割り当てられたアカウントＡ００１〜Ａ０５０の全てに対して同一のユーザデータが用意されているが、アカウントごと、あるいは、いくつかのアカウントグループごとに、ユーザデータが用意されていてもよい。
【００２３】
研修データのアカウントには、研修に割り当てられた複数のアカウントを示す情報が設定される。例えば、図３に示す例では、研修Ｔ００１に対して、５０個のアカウントＡ００１〜Ａ０５０が割り当てられている。なお、アカウントＡ００１〜Ａ０５０は、研修Ｔ００１専用であってもよいし、様々な研修で繰り返し利用されてもよい。異なる研修で同一のアカウントを繰り返し利用する例として、図３では、研修Ｔ００１及び研修Ｔ００２に対して、アカウントＡ００１〜Ａ０２０が割り当てられている。
【００２４】
なお、研修データ記憶部１１０に記憶される研修データは、データベースやテーブルに登録されるものであってもよいし、バッチファイルやスクリプトにおいて記述されるものであってもよい。
【００２５】
ユーザ情報更新部１２０は、スケジュール記憶部１００及び研修データ記憶部１１０を参照し、複数の研修のスケジュールに基づいて、研修に割り当てられたアカウントに対応するプロファイル２５０及びユーザデータ２６０を更新する。例えば、ユーザ情報更新部１２０は、研修の開始日時の所定時間前に、当該研修に割り当てられたアカウントのプロファイル２５０及びユーザデータ２６０を更新することができる。
【００２６】
なお、スケジュール記憶部１００には、プロファイル２５０及びユーザデータ２６０の更新日時を示す更新日時データが記憶されていてもよい。この場合、ユーザ情報更新部１２０は、更新日時データに基づいて、プロファイル２５０及びユーザデータ２６０を更新することができる。
【００２７】
また、ユーザ情報更新部１２０は、研修環境構築システム１０の管理者からの指示に応じて、プロファイル２５０及びユーザデータ２６０を更新してもよい。この場合、ユーザ情報更新部１２０は、スケジュール記憶部１００を参照しなくてもよい。
【００２８】
また、ユーザ情報更新部１２０は、研修に割り当てられたアカウントに対応するプロファイル２５０及びユーザデータ２６０を更新する前に、更新前のプロファイル２５０及びユーザデータ２６０を、当該割り当てられたアカウントと対応付けて過去データ記憶部１３０に格納（バックアップ）することができる。
【００２９】
図４は、過去データ記憶部１３０にバックアップされたプロファイル２５０及びユーザデータ２６０の一例を示す図である。図４に示すように、プロファイル２５０及びユーザデータ２６０は、例えば、研修ＩＤ及びアカウントと対応付けてバックアップされる。
【００３０】
ユーザ情報復元部１４０は、研修環境構築システム１０の管理者からの指示に応じて、過去データ記憶部１３０を参照し、過去に開催された研修に用いられたプロファイル２５０及びユーザデータ２６０を、研修サーバ２０のユーザ情報記憶部２００に復元することができる。
【００３１】
以上、研修環境構築システム１０の各部の詳細について説明した。研修環境構築システム１０では、研修で受講者端末３０を利用する際に用いられるプロファイル及びユーザデータを、複数のアカウントのうちの当該研修に割り当てられたアカウントと対応づけて記憶しておき、研修サーバ２０のユーザ情報記憶部２００における、当該割り当てられたアカウントに対応するプロファイル２５０及びユーザデータ２６０を更新することができる。そして、受講者が、受講者端末３０で当該アカウントを用いてログインすることにより、当該アカウントに対応するプロファイル２５０及びユーザデータ２６０が、受講者端末３０に提供される。これにより、研修環境を効率的に構築することが可能となる。特に、複数のアカウント（例えば５０個のアカウント）を様々な研修で繰り返し利用する場合において、研修環境を効率的に構築することができる。
【００３２】
また、研修環境構築システム１０では、研修のスケジュールに基づいて、研修サーバ２０のユーザ情報記憶部２００における、当該研修に割り当てられたアカウントに対応するプロファイル２５０及びユーザデータ２６０を更新することができる。これにより、研修のスケジュールに応じて、研修環境を効率的に構築することが可能となる。
【００３３】
また、研修環境構築システム１０では、過去に開催された研修で使用されたアカウントに対応するプロファイル２５０及びユーザデータ２６０を更新する前に、当該プロファイル２５０及び当該ユーザデータ２６０を過去データ記憶部１３０にバックアップすることができる。
【００３４】
さらに、研修環境構築システム１０では、過去データ記憶部１３０にバックアップされたプロファイル及びユーザデータを、ユーザ情報記憶部２００に復元することができる。これにより、例えば、数回に分けて実施される研修の開催時に、前回の研修終了時の状態を復元することができる。
【００３５】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００３６】
１０  研修環境構築システム
２０  研修サーバ
３０  受講者端末
１００  スケジュール記憶部
１１０  研修データ記憶部
１２０  ユーザ情報更新部
１３０  過去データ記憶部
１４０  ユーザ情報復元部
２００  ユーザ情報記憶部
２１０  ユーザ情報提供部
２５０  プロファイル
２６０  ユーザデータ
３００  オペレーティングシステム
３１０  アプリケーション
【図１】
2016142953.tif 000003
【図２】
2016142953.tif 000004
【図３】
2016142953.tif 000005
【図４】
2016142953.tif 000006